(57)【要約】  ライブビュー画像を表示させることなく、撮像できる被写体の範囲を確認することができ、また、周囲の音声や環境音に対応する文字を装置本体に表示させることができる撮像装置及び文字表示方法を提供する。撮像装置は、透明な筐体と、筐体に配設され、被写体の撮像画像を取得する撮像部と、筐体に配設され、撮像部の撮像方向と直交する表示画面を有する透明な表示部と、音声又は環境音を取得するマイクを含む集音部と、集音部が取得した音声又は環境音に基づいて文字を生成する文字生成部と、文字生成部により生成された文字を表示部に表示させる表示制御部と、を備える。
2018235313.tif 000002
【特許請求の範囲】
【請求項１】
透明な筐体と、
前記筐体に配設され、被写体の撮像画像を取得する撮像部と、
前記筐体に配設され、前記撮像部の撮像方向と直交する表示画面を有する透明な表示部と、
音声又は環境音を取得する集音部と、
前記集音部が取得した前記音声又は前記環境音に基づいて文字を生成する文字生成部と、
前記文字生成部により生成された文字を前記表示部に表示させる表示制御部と、
を備えた撮像装置。
【請求項２】
前記撮像装置は、前記透明な筐体及び前記透明な表示部により、前記撮像部の撮像方向における前記撮像装置の投影面積のうちの半分以上の面積が接眼側から対物側にわたって透明である請求項１に記載の撮像装置。
【請求項３】
前記撮像部で取得された前記撮像画像の画像解析を行う画像解析部を備え、
前記文字生成部は、前記画像解析部の前記画像解析の結果に基づいて前記文字を生成する請求項１又は２に記載の撮像装置。
【請求項４】
前記表示制御部は、前記文字生成部により生成された文字により構成されるアニメーションを前記表示部に表示させる請求項１から３のいずれか１項に記載の撮像装置。
【請求項５】
前記表示制御部は、前記文字生成部により生成された文字により構成されるアニメーションであって、前記表示部の表示画面の一端から他端に向かって前記文字が移動するアニメーションを前記表示部に表示させる請求項１から３のいずれか１項に記載の撮像装置。
【請求項６】
前記表示部は、前記筐体の内部に配設される請求項１から５のいずれか１項に記載の撮像装置。
【請求項７】
前記表示部は、前記筐体にそれぞれ間隔を空けて平行に配設された複数の表示部から構成され、
前記表示制御部は、前記文字生成部により生成された文字を、前記複数の表示部にそれぞれ表示させる請求項１から６のいずれか１項に記載の撮像装置。
【請求項８】
前記文字生成部は、生成する前記文字のサイズ、濃度及びフォントのうちの少なくとも１つを、前記文字に応じて決定する請求項１から７のいずれか１項に記載の撮像装置。
【請求項９】
前記筐体には前記撮像部を中心にしたファインダ枠が設けられ、又は前記表示制御部は、前記表示部に前記撮像部を中心にしたファインダ枠を表示させる請求項１から８のいずれか１項に記載の撮像装置。
【請求項１０】
前記筐体内に、前記撮像部で取得される前記撮像画像と前記文字生成部で生成された前記文字とを印画するプリント部を更に備えた請求項１から９のいずれか１項に記載の撮像装置。
【請求項１１】
透明な筐体と、前記筐体に配設され、被写体の撮像画像を取得する撮像部と、前記筐体に配設され、前記撮像部の撮像方向と直交する表示画面を有する透明な表示部とを有する撮像装置の文字表示方法であって、
集音部により音声又は環境音を集音するステップと、
前記音声又は前記環境音に基づいて文字を生成するステップと、
前記文字を前記表示部に表示させるステップと、
を含む文字表示方法。
【請求項１２】
前記撮像装置は、前記透明な筐体及び前記透明な表示部により、前記撮像部の撮像方向における前記撮像装置の投影面積のうちの半分以上の面積が接眼側から対物側にわたって透明である請求項１１に記載の文字表示方法。
【請求項１３】
前記撮像部で取得された前記撮像画像を画像解析するステップを含み、
前記文字を生成するステップは、前記画像解析の結果に基づいて前記文字を生成する請求項１１又は１２に記載の文字表示方法。
【請求項１４】
前記文字を前記表示部に表示させるステップは、前記生成された文字により構成されるアニメーションを前記表示部に表示させる請求項１１から１３のいずれか１項に記載の文字表示方法。
【請求項１５】
前記文字を前記表示部に表示させるステップは、前記生成された文字により構成されるアニメーションであって、前記表示部の表示画面の一端から他端に向かって前記文字が移動するアニメーションを前記表示部に表示させる請求項１１から１３のいずれか１項に記載の文字表示方法。
【発明の詳細な説明】
【技術分野】
【０００１】
本発明は撮像装置及び文字表示方法に係り、特に集音した音声等から生成した文字を撮像装置の表示部に表示させる技術に関する。
【背景技術】
【０００２】
従来、この種の撮像装置として、特許文献１に記載の撮像装置が知られている。【０００３】
特許文献１に記載の撮像装置は、対象画像の撮影準備期間において、集音によって得られた被写体及び撮影者の音響信号を文字データに変換し、撮像装置の表示部にライブビュー画像と文字データとを表示する。【０００４】
その後、シャッタ操作が入力されると、対象画像が撮影されて、対象画像の画像データ及び文字データを格納した画像ファイルが記録媒体に記録される。【０００５】
尚、特許文献１には、表示部の表示画面の右側から左側に向けて文字データの表示位置が移動してゆくようにする（文字が表示画面上を流れていくような表示処理を行う）記載がある。【０００６】
一方、特許文献２には、プリンタ付き撮像装置が記載されている。このプリンタ付き撮像装置は、装置の外装体を構成する前カバー、後カバー、記録媒体のスロットカバー及び電池カバーが光透過性樹脂によって形成されており、内部が透視可能になっている。
【先行技術文献】
【特許文献】
【０００７】
【特許文献１】特開２０１４−２１６９０４号公報
【特許文献２】特開２００１−２６８４２２号公報
【発明の概要】
【発明が解決しようとする課題】
【０００８】
特許文献１に記載の撮像装置は、集音によって得られた被写体及び撮影者の音響信号を示す文字データを、撮像装置の表示部に表示されているライブビュー画像に重畳して表示する。これにより、ユーザ（撮影者）は、ライブビュー画像（表示画像）を見ることで、撮像される被写体の範囲（構図）を確認することができるとともに、画像が撮像された場合に、その画像に関連付けられる文字データを確認することができる。【０００９】
しかしながら、特許文献１に記載の撮像装置は、ライブビュー画像に文字データを重畳して表示部に表示するため、例えば、文字データのみを表示する場合に比べて表示用の信号処理の負荷が大きくなり、消費電力も大きくなるという問題がある。【００１０】
一方、特許文献２に記載のプリンタ付き撮像装置は、装置の外装体を構成する前カバー、後カバー等が光透過性樹脂によって形成されているため、装置内部を透視することができるが、装置内部に収納された大きな面積を占める内容物（インスタントフイルムを収納するフイルムパックを含む光プリンタモジュール等）により遮光されるため、撮像装置自体を透明にすることができない。即ち、特許文献１に記載の撮像装置は、接眼側から対物側にわたって装置を透明にすることができない。【００１１】
本発明はこのような事情に鑑みてなされたもので、ライブビュー画像を表示させることなく、撮像できる被写体の範囲を確認することができ、また、周囲の音声や環境音に対応する文字を装置本体に表示させることができる撮像装置及び文字表示方法を提供することを目的とする。
【課題を解決するための手段】
【００１２】
上記目的を達成するために本発明の一の態様に係る撮像装置は、透明な筐体と、筐体に配設され、被写体の撮像画像を取得する撮像部と、筐体に配設され、撮像部の撮像方向と直交する表示画面を有する透明な表示部と、音声又は環境音を取得する集音部と、集音部が取得した音声又は環境音に基づいて文字を生成する文字生成部と、文字生成部により生成された文字を表示部に表示させる表示制御部と、を備える。【００１３】
本発明の一の態様によれば、透明な筐体及び透明な表示部により装置内部だけでなく、装置を介して反対側を透視することができ、これにより撮像できる被写体の範囲を確認することができる。また、集音した音声又は環境音に基づいて生成した文字を透明な表示部に表示することができ、ユーザに対して、周辺のシーンや雰囲気等を表す好適な文字情報を提供することができる。また、透明な筐体に設けられた透明な表示部に文字を表示することで、透明な筐体及び表示部を通じて見える被写体に、文字を重ねて表示することができる。更に、透明な筐体及び透明な表示部により撮像装置の存在感や堅いイメージを無くすことができ、また、意匠性を向上させることができる。【００１４】
本発明の他の態様に係る撮像装置において、撮像装置は、透明な筐体及び透明な表示部により、撮像部の撮像方向における撮像装置の投影面積のうちの半分以上の面積が接眼側から対物側にわたって透明であることが好ましい。撮像装置の投影面積のうちの半分以上の面積を透明にすることで、透明な筐体及び表示部を通じて見える被写体の範囲を広くすることができ、また、文字を表示する領域も十分に確保することができる。【００１５】
本発明の更に他の態様に係る撮像装置において、撮像部で取得された撮像画像の画像解析を行う画像解析部を備え、文字生成部は、画像解析部の画像解析の結果に基づいて文字を生成することが好ましい。【００１６】
撮像部で取得された撮像画像の画像解析の結果に基づいて文字を生成するようにしたため、ユーザに対して、撮像されるシーンや雰囲気等を表す好適な文字情報を提供することができる。【００１７】
本発明の更に他の態様に係る撮像装置において、表示制御部は、文字生成部により生成された文字により構成されるアニメーションを表示部に表示させることが好ましい。文字をアニメーションで表示し、文字表示に変化を与えることで、意匠性を向上させるようにしている。【００１８】
本発明の更に他の態様に係る撮像装置において、表示制御部は、文字生成部により生成された文字により構成されるアニメーションであって、表示部の表示画面の一端から他端に向かって文字が移動するアニメーションを表示部に表示させることが好ましい。これにより、表示画面の一端から他端に向かって文字が流れるアニメーションを表示することができ、また、文字が表示される表示画面上の位置から文字の生成時刻を把握することができる。【００１９】
本発明の更に他の態様に係る撮像装置において、表示部は、筐体の内部に配設されることが好ましい。これにより、透明な表示部を透明な筐体で保護することができる。【００２０】
本発明の更に他の態様に係る撮像装置において、表示部は、筐体にそれぞれ間隔を空けて平行に配設された複数の表示部から構成され、表示制御部は、文字生成部により生成された文字を、複数の表示部にそれぞれ表示させることが好ましい。これにより、文字を遠近感をもって表示することができる。【００２１】
本発明の更に他の態様に係る撮像装置において、文字生成部は、生成する文字のサイズ、濃度及びフォントのうちの少なくとも１つを、文字に応じて決定することが好ましい。これにより、文字の視認性に強弱を付けたり、文字のバリエーションを増やすことができる。【００２２】
本発明の更に他の態様に係る撮像装置において、筐体には撮像部を中心にしたファインダ枠が設けられ、又は表示制御部は、表示部に撮像部を中心にしたファインダ枠を表示させることができる。これにより、装置本体がファインダとなり、ファインダ枠により撮像される被写体の撮像範囲を確認することができる。また、撮像部を中心にしたファインダ枠が設けられているため、ファインダ枠を通して見える視野の中心と、撮像部により撮像される撮像範囲の中心が一致し、視差が発生することがない。【００２３】
また、透視可能な矩形の領域全体を、ファインダとして使用することも可能であり、この場合には、透視可能な矩形の領域がそのままファインダ枠に対応する。更に、ファインダ枠内には、文字を表示させないようにしてもよい。この場合、構図を決定する際に文字が邪魔にならないようにすることができる。【００２４】
本発明の更に他の態様に係る撮像装置において、筐体内に、撮像部で取得される撮像画像と文字生成部で生成された文字とを印画するプリント部を更に備えることが好ましい。【００２５】
更に他の態様に係る発明は、透明な筐体と、筐体に配設され、被写体の撮像画像を取得する撮像部と、筐体に配設され、撮像部の撮像方向と直交する表示画面を有する透明な表示部とを有する撮像装置の文字表示方法であって、集音部により音声又は環境音を集音するステップと、音声又は環境音に基づいて文字を生成するステップと、文字を表示部に表示させるステップと、を含む。【００２６】
本発明の他の態様に係る文字表示方法において、撮像装置は、透明な筐体及び透明な表示部により、撮像部の撮像方向における撮像装置の投影面積のうちの半分以上の面積が接眼側から対物側にわたって透明であることが好ましい。【００２７】
本発明の更に他の態様に係る文字表示方法において、撮像部で取得された撮像画像を画像解析するステップを含み、文字を生成するステップは、画像解析の結果に基づいて文字を生成することが好ましい。【００２８】
本発明の更に他の態様に係る文字表示方法において、文字を表示部に表示させるステップは、生成された文字により構成されるアニメーションを表示部に表示させることが好ましい。【００２９】
本発明の更に他の態様に係る文字表示方法において、文字を表示部に表示させるステップは、生成された文字により構成されるアニメーションであって、表示部の表示画面の一端から他端に向かって文字が移動するアニメーションを表示部に表示させることが好ましい。
【発明の効果】
【００３０】
本発明によれば、撮像装置の筐体及び表示部として、それぞれ透明なものを使用したため、周囲の音声や環境音に対応する文字を透明な装置本体（透明な表示部）に表示させることができる。これにより、ライブビュー画像を表示させることなく、透明な筐体及び表示部を通じて見える被写体に、文字を重ねて表示することができる。また、透明な表示部には文字のみが表示されるため、ライブビュー画像と文字とを重ねて表示する場合に比べて表示用の信号処理の負荷が小さく、消費電力も低減することができる。
【図面の簡単な説明】
【００３１】
【図１】図１は本発明に係る撮像装置の第１の実施形態を示す正面図である。
【図２】図２は図１に示した撮像装置の左側面図である。
【図３】図３は本発明に係る撮像装置の第２の実施形態を示す正面図である。
【図４】図４は図３に示した撮像装置の左側面図である。
【図５】図５は図３に示した撮像装置の右側面図である。
【図６】図６は図３に示した撮像装置の背面図である。
【図７】図７は図３に示した撮像装置の内部の概略構成を示すブロック図である。
【図８】図８は本発明に係る文字表示方法の第１の実施形態を示すフローチャートである。
【図９】図９は第２の実施形態の撮像装置の表示部の表示画面に表示される文字が移動する様子を示す図である。
【図１０】図１０は本発明に係る文字表示方法の第２の実施形態を示すフローチャートである。
【図１１】図１１は第２の実施形態の撮像装置の作用を示すフローチャートである。
【図１２】図１２は第２の実施形態の撮像装置の下部から上部に向かってプリント用紙が送り出される様子を示す図である。
【図１３】図１３は第２の実施形態の撮像装置の下部から上部に向かってプリント用紙が送り出される様子を示す他の図である。
【図１４】図１４は第２の実施形態の撮像装置の上部にプリント用紙が到達し、プリント用紙への画像の印画が開始される様子を示す図である。
【図１５】図１５は第２の実施形態の撮像装置のプリンタ部によりプリント出力されるプリント用紙等を示す図である。
【図１６】図１６は図３に示した撮像装置の正面図であり、特に英語の文字が装置本体に表示される様子を示す図である。
【図１７】図１７は図１６に示した撮像装置の装置本体に表示される英語の文字が移動する様子を示す図である。
【図１８】図１８は図１５に示した撮像装置のプリンタ部によりプリント出力されるプリント用紙等を示す図であり、特に画像と英語の文字とが組み合わされた組み写真が印画される様子を示す図である。
【発明を実施するための形態】
【００３２】
以下、添付図面にしたがって本発明に係る撮像装置及び文字表示方法の好ましい実施形態について説明する。
【００３３】
［撮像装置の第１の実施形態の外観］
図１及び図２は、それぞれ本発明に係る撮像装置の第１の実施形態を示す正面図及び左側面図である。尚、図１は、文字を表す言語（文字言語）が日本語の場合に関して示している。
【００３４】
図１及び図２に示す撮像装置１は、レンズを通った光を撮像素子で受け、デジタル信号に変換して静止画又は動画の画像データを取得し、取得した画像データを記憶部に記録するデジタルカメラである。
【００３５】
この撮像装置１は、主として透明な筐体１ａ、撮像部２、マイク３、透明な表示部２２、シャッタレリーズスイッチ４、フラッシュ発光部６、及び内容物７等から構成されている。
【００３６】
透明な筐体１ａは、例えば、透明なアクリル樹脂により形成され、本例では直方体の外観を有する撮像装置１と同様に直方体の形状を有している。また、筐体１ａの正面には、円柱状の凸部１ｂが一体形成されている。
【００３７】
撮像部２は、撮影レンズ、撮像素子及びこれらの駆動部を含み、例えばスマートフォン等の携帯端末に使用される小型の撮像モジュールに相当する。撮像部２の厚みは、筐体１ａの円柱状の凸部１ｂに収まる程度が好ましい。
【００３８】
マイク３は、被写体が発する音（音声）又は被写体の周囲の音（環境音を含む）を集音する集音部として機能するもので、本例ではリング状の形状を有し、円形形状の撮像部２の周囲に配設されている。
【００３９】
透明な表示部２２は、撮像部２の撮像方向と直交する表示画面（撮像装置１の正面又は背面と平行な表示画面）を有しており、図２の点線で示すように筐体１ａの内部に配設されている。透明な表示部２２としては、透明液晶ディスプレイ、透明無機ＥＬ（Electro-Luminescence）ディスプレイ、透明有機ＥＬディスプレイ、あるいは透明な電子ペーパを使用することができる。また、表示部２２は、モノクロ表示のみ可能な安価なものとすることができるが、カラー表示が可能なものでもよい。
【００４０】
シャッタレリーズスイッチ４は、いわゆる「半押し」と「全押し」とからなる２段ストローク式のスイッチで構成され、撮影準備指示部として機能するとともに、画像の撮像指示部として機能する。
【００４１】
フラッシュ発光部６は、例えば、キセノン管を発光源とし、被写体が暗い場合にフラッシュ光を補助光として発光する部分である。
【００４２】
内容物７は、筐体１ａ内に収納される撮像装置１を構成する部品群であって、上記の撮像部２、マイク３、表示部２２、シャッタレリーズスイッチ４、及びフラッシュ発光部６以外の部品群から構成されており、筐体１ａの下部に収納されている。
【００４３】
また、内容物７と撮像部２及びマイク３との間は、配線２ａにより電気的に接続されている。同様に内容物７とシャッタレリーズスイッチ４、及びフラッシュ発光部６との間は、それぞれ配線４ａ及び６ａにより電気的に接続されている。尚、これらの配線２ａ、４ａ及び６ａの全部又は一部は、透明導電材料を使用することで、透明にすることができる。
【００４４】
この撮像装置１は、筐体１ａ及び表示部２２が透明であるため、撮像部２、マイク３、シャッタレリーズスイッチ４、フラッシュ発光部６、及び内容物７が収納されている部分を除いて、接眼側から対物側にわたって透明である。即ち、撮像装置１を介して反対側を透かして見ることができるようになっている。尚、「透明」とは、筐体１ａ及び表示部２２（撮像装置本体）を通して被写体を見ることができる程度の透明度をいう。
【００４５】
ここで、撮像部２の撮像方向における撮像装置１の投影面積（図１に表れる面積）のうちの半分以上の面積が接眼側から対物側にわたって透明であることが好ましい。尚、シャッタレリーズスイッチ４を筐体１ａの天面（上面）に設け、また、フラッシュ発光部６の光源として小型の白色ＬＥＤ（light emitting diode）を使用することにより、撮像装置１の投影面積のうちの接眼側から対物側にわたって透明となる面積をより大きくすることができる。
【００４６】
［撮像装置の第２の実施形態の外観］
図３から図６は、それぞれ本発明に係る撮像装置の第２の実施形態を示す正面図、左側面図、右側面図及び背面図である。尚、図３及び図６は、文字言語が日本語の場合に関して示している。
【００４７】
図３から図６に示す撮像装置１−２は、図１及び図２に示した撮像装置１と比較して、主としてプリンタが追加されている点で相違し、レンズを通った光を撮像素子で受け、デジタル信号に変換して静止画又は動画の画像データを取得し、取得した画像データを記憶部に記録するデジタルカメラと、記憶部に記憶された画像データに基づいてプリント用紙に画像等を印画するプリンタとが一体化されたプリンタ付き撮像装置である。
【００４８】
尚、図３から図６に示した第２の実施形態の撮像装置１−２において、図１及び図２に示した第１の実施形態の撮像装置１と共通する部分には同一の符号を付し、その詳細な説明は省略する。
【００４９】
第２の実施形態の撮像装置１−２は、内容物７の代わりに、更にプリンタ部としての機能を担う第１内容物７−１、及び第２内容物８を備えている。
【００５０】
第１内容物７−１及び第２内容物８は、筐体１ａ内に収納される撮像装置１−２を構成する部品群であって、撮像部２、マイク３、表示部２２、シャッタレリーズスイッチ４、及びフラッシュ発光部６以外の部品群から構成されている。
【００５１】
第１内容物７−１は、主として撮像装置１−２のうちのデジタルカメラに対応する部品群からなり、図１上で筐体１ａの下部に収納され、第２内容物８は、主としてプリント部（プリンタ）に対応する部品群からなり、筐体１ａの上部に収納されている。尚、第１内容物７−１及び第２内容物８の詳細については後述する。
【００５２】
また、第１内容物７−１と撮像部２及びマイク３との間は、配線２ａにより電気的に接続されている。同様に第１内容物７−１とシャッタレリーズスイッチ４、フラッシュ発光部６、及び第２内容物８との間は、それぞれ配線４ａ、６ａ及び８ａにより電気的に接続されている。尚、これらの配線２ａ、４ａ、６ａ及び８ａの全部又は一部は、透明導電材料を使用することで、透明にすることができる。
【００５３】
また、透明な表示部２２は、図４及び図５の点線で示すように筐体１ａにそれぞれ間隔を空けて平行に配設された複数（３枚）の表示部２２ａ，２２ｂ，２２ｃから構成されている。
【００５４】
この撮像装置１−２は、筐体１ａ及び表示部２２が透明であるため、撮像部２、マイク３、シャッタレリーズスイッチ４、フラッシュ発光部６、第１内容物７−１及び第２内容物８が収納されている部分を除いて、接眼側から対物側にわたって透明である。
【００５５】
ここで、撮像部２の撮像方向における撮像装置１の投影面積（図３に表れる面積）のうちの半分以上の面積が接眼側から対物側にわたって透明であることが好ましい。また、筐体１ａの中央部分には、撮像部２を除いて内容物を収納しないようにすることが好ましい。本例では、第１内容物７−１及び第２内容物８は、それぞれ筐体１ａの下部及び上部に収納されている。
【００５６】
また、透明な筐体１ａには、撮像部２を中心にしたファインダ枠５が印画や刻印等により設けられている。ファインダ枠５の大きさは、構図を決定するために撮像装置１−２を構えたときの撮像装置１−２と顔との距離及び撮像レンズの焦点距離により、ファインダ枠５を通して見える範囲が、撮像される範囲になるように決定することが好ましい。
【００５７】
このファインダ枠５によれば、ファインダ枠５の中心に撮像部２が位置するため、ファインダ枠５を通して見える視野の中心と、撮像部２により撮像される撮像範囲の中心が一致し、視差が発生することがない。
【００５８】
尚、本例のファインダ枠５は、撮像範囲を示す矩形の四隅に設けられたマーカにより構成されているが、ファインダ枠の形状はこの実施形態に限らず、種々の形状のものが適用できる。
【００５９】
図３から図６には図示されていないが、筐体１ａ内には、第１内容物７−１から第２内容物８にプリント用紙を搬送する際にプリント用紙を案内するガイド部が設けられている。ガイド部は、プリント用紙の幅及び厚みに対応した隙間により構成することができるが、ガイドローラ等を更に配置してもよい。
【００６０】
［撮像装置の内部の概略構成］
図７は、図３から図６に示した第２の実施形態の撮像装置１−２の内部の概略構成を示すブロック図である。尚、図１及び図２に示した第１の実施形態の撮像装置１の内部の概略構成は、主としてプリンタ部を備えていない点で、第２の実施形態の撮像装置１−２と相違するが、その他の構成は共通しているため、その詳細な説明は省略する。
【００６１】
撮像装置１−２は、前述したように撮像部２、マイク３、シャッタレリーズスイッチ４を含む操作部２４８、フラッシュ発光部６、第１内容物７−１、及び第２内容物８を備えて構成されている。
【００６２】
〈撮像部〉
撮像部２は、撮影レンズ１２、撮影レンズ駆動部２１２、イメージセンサ４２、イメージセンサ駆動部２１４、及びアナログ信号処理部２１６から構成されている。
【００６３】
撮影レンズ１２は、フォーカスレンズを含む複数のレンズで構成される。尚、図７では簡略化して１枚のレンズのみを図示している。撮影レンズ１２は、撮影レンズ駆動部２１２によりフォーカスレンズを光軸に沿って前後移動させることで、焦点調節される。
【００６４】
撮影レンズ１２には、絞り１２ａ及びシャッタ１２ｂが備えられる。絞り１２ａによって撮影レンズ１２を通る光の光量が調整される。シャッタ１２ｂによって、撮影レンズ１２を通る光が遮光される。
【００６５】
イメージセンサ４２は、例えばＣＣＤイメージセンサ（CCD ： Charge Coupled Device）、ＣＭＯＳイメージセンサ（CMOS : Complementary Metal Oxide Semiconductor）等の二次元の固体撮像素子で構成される。
【００６６】
撮影レンズ駆動部２１２は、撮影レンズ１２の駆動手段である。撮影レンズ駆動部２１２は、フォーカスレンズを駆動し、絞り１２ａを駆動し、かつシャッタ１２ｂを駆動する。撮影レンズ駆動部２１２は、システムコントローラ２４０の制御の下、撮影レンズ１２を駆動する。
【００６７】
イメージセンサ駆動部２１４は、イメージセンサ４２の駆動手段である。イメージセンサ駆動部２１４は、システムコントローラ２４０の制御の下、イメージセンサ４２を駆動し、イメージセンサ４２から画像信号の読み出し制御を行う。また、イメージセンサ駆動部２１４は、システムコントローラ２４０からの電子シャッタ制御信号により、イメージセンサ４２の各画素に蓄積された電荷を同時に排出させて（一斉にリセットして）、露光を開始させる電子シャッタ機能を有する。
【００６８】
アナログ信号処理部２１６は、イメージセンサ４２で被写体を撮像して得られたアナログの画像信号に対して、各種のアナログ信号処理を施す。アナログ信号処理部２１６は、サンプリングホールド回路、色分離回路、ＡＧＣ（Automatic Gain Control）回路、Ａ／Ｄ（Analog/Digital）変換器等を含んで構成されている。ＡＧＣ回路は、撮像時の感度（ＩＳＯ感度(ＩＳＯ：International Organization for Standardization)）を調整する感度調整部として機能し、入力する画像信号を増幅する増幅器のゲインを調整し、画像信号の信号レベルが適切な範囲に入るようにする。
【００６９】
Ａ／Ｄ変換器は、アナログの画像信号をデジタルの画像信号に変換する。尚、イメージセンサ４２がＣＭＯＳ型イメージセンサである場合、Ａ／Ｄ変換器を含むアナログ信号処理部２１６は、ＣＭＯＳ型イメージセンサ内に内蔵されていることが多い。
【００７０】
〈第１内容物〉
第１内容物７−１は、画像データ入力部２１８、デジタル信号処理部２２０、内部メモリ２２２、文字生成部２３０、プリント制御部２３２、システムコントローラ２４０、ワークメモリ２４２、データメモリ２４４、表示制御部２４６、マイク駆動部２４７、フラッシュ制御部２４９及び電源部２５０を含んでいる。
【００７１】
画像データ入力部２１８は、システムコントローラ２４０の制御の下、アナログ信号処理部２１６から出力されるデジタルの画像信号を取り込む。取り込まれた１枚分の画像データは、ワークメモリ２４２に格納される。
【００７２】
システムコントローラ２４０は、撮像装置１−２の全体を統括制御する制御部である。システムコントローラ２４０は、コンピュータで構成され、所定のプログラムを実行することにより、各種機能を提供する。
【００７３】
第２の実施形態の撮像装置１−２は、システムコントローラ２４０が、画像解析部としての機能を備えるが、更に文字生成部２３０、プリント制御部２３２、及び表示制御部２４６としての機能を備えていてもよい。
【００７４】
デジタル信号処理部２２０は、ワークメモリ２４２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【００７５】
内部メモリ２２２は、画像記憶部の一例であり、撮像により得られた画像を記録する。内部メモリ２２２は、たとえば、ＥＥＰＲＯＭ （ＥＥＰＲＯＭ：Electrically Erasable Programmable Read Only Memory）等の不揮発性メモリで構成される。
【００７６】
文字生成部２３０は、マイク３及びマイク駆動部２４７（集音部）を介して取得された被写体等から発せられた音（音声）及び被写体の周囲の音（環境音）を示す音データに基づいて音を文字に変換する部分である。音声は、その音声の言語に対応する文字に変換することが好ましい。環境音は、主に擬声語に変換される。
【００７７】
また、文字生成部２３０は、撮像部２により取得された撮像画像の画像解析を行う画像解析部（図示せず）における画像解析の結果に基づいて文字を生成する。例えば、画像解析部は、撮像画像中のオブジェクトを抽出し、文字生成部２３０は、抽出されたオブジェクトを示す文字を生成する。また、画像解析部は、撮像画像（動画を含む）からシーンを解析（シーン判別）し、文字生成部２３０は、シーン判別されたシーンを示す文字（擬声語）を生成する。
【００７８】
更に、システムコントローラ２４０が、言語選択部（図示せず）としての機能を備えることが好ましい。例えば、文字生成部２３０が音データに基づいて文字を生成する場合、言語選択部が音データの言語（音声言語）を自動判定して文字を表す言語（文字言語）を選択してもよい。また、例えば、言語選択部が、ユーザによる操作部２４８に含まれるメニューボタンの操作により、複数の言語（例えば、日本語、英語、スペイン語、ポルトガル語、フランス語、ドイツ語等）を含む言語選択メニューを表示部２２に表示させ、ユーザによる所望の言語を選択する操作に基づいて、文字言語を選択してもよい。この場合、文字生成部２３０は、言語選択部により選択された言語により、音データに基づく文字及び画像解析の結果に基づく文字を生成する。
【００７９】
プリント制御部２３２は、プリント部により印画させる撮像画像に基づくプリント用の画像データ、及び文字生成部２３０により生成された文字に基づくプリント用の画像データを生成し、生成したプリント用の画像データをプリント部に出力し、画像と文字とが組み合わされた組み写真の印画を行わせる。尚、組み写真の印画の詳細については後述する。
【００８０】
ワークメモリ２４２は、作業用のメモリである。ワークメモリ２４２は、例えば、ＳＤＲＡＭ（SDRAM : Synchronous Dynamic Random Access Memory）等で構成される。データメモリ２４４は、制御用のプログラム、制御に必要な各種データ等を記憶するメモリである。データメモリ２４４は、ＥＥＰＲＯＭ等の不揮発性メモリで構成される。
【００８１】
表示制御部２４６は、文字生成部２３０により生成された文字に基づいて、表示部２２（２２ａ，２２ｂ，２２ｃ）に文字を表示させる表示用データを生成する部分であり、特に文字により構成されたアニメーション（文字が移動するアニメーション）を示す表示用データを生成する。例えば、文字生成部２３０により生成された文字が、表示部２２の表示画面の一端から他端に向かって移動するアニメーションを示す表示用データを生成する。
【００８２】
このアニメーションを示す表示用データを表示部２２に出力することにより、文字が流れるアニメーションを表示部２２に表示させることができる。
【００８３】
尚、本例の表示制御部２４６は、文字生成部２３０により生成された文字を表示部２２に表示させるが、更にプリントイメージを事前に確認できるように、プリント部にプリント出力されるプリント用の画像を表示部２２に表示させることができることが好ましい。
【００８４】
また、本例では、透明な筐体１ａにファインダ枠５を設けるようにしたが、表示制御部２４６が、表示部２２にファインダ枠５と同様なファイダ枠を表示させるようにしてもよい。
【００８５】
マイク駆動部２４７は、マイク３により集音された音声あるいは環境音を示す音声信号を増幅し、デジタル信号に変換して文字生成部２３０に送出する。
【００８６】
フラッシュ制御部２４９は、例えば、ＴＴＬ（Through The Lens)自動調光方式のフラッシュ制御を行うもので、フラッシュ発光部６から発光するフラッシュ光の発光量（ガイドナンバー）を調整する機能を有する。即ち、フラッシュ制御部２４９は、システムコントローラ２４０からのフラッシュ撮像指示に同期してフラッシュ発光部６を発光させ、撮影レンズ１２を介して入射する反射光（周囲光を含む）の測光を開始し、測光値が標準露出値に達すると、フラッシュ発光部６からのフラッシュ光の発光を停止させる。
【００８７】
電源部２５０は、システムコントローラ２４０の制御の下、各部に電源を供給する。電源部２５０は、電源としてのバッテリー及び電源回路を備える。
【００８８】
操作部２４８は、シャッタレリーズスイッチ４を含むが、その他、メニューボタン、コマンドダイヤル、及びマルチファンクションの十字キー、電源ボタン等を含んでいてもよい。また、操作部２４８は、筐体１ａの背面に配設される透明なタッチパネルと各種のスイッチを示すアイコンを表示する表示部２２とにより構成してもよい。
【００８９】
〈第２内容物〉
第２内容物８は、主として撮像装置１−２のうちのプリント部（プリンタ）に対応する部分であり、プリント用紙搬送機構５４、プリントヘッド５６、プリント用紙搬送機構駆動部２３４、及びプリントヘッド駆動部２３６を含んでいる。
【００９０】
本例のプリント部は、例えば、印画方式としてＴＡ（サーモオートクローム）方式を採用したＴＡプリンタであり、シアン（Ｃ）、マゼンタ（Ｍ）、イエロー（Ｙ）の各発色層を有するＴＡペーパー（以下、「プリント用紙」という）自体を熱で発色させ、所定の波長の光の照射で定着するものであり、プリント用紙を搬送するプリント用紙搬送機構５４及びプリント用紙搬送機構駆動部２３４、サーマルヘッドとして機能するプリントヘッド５６、プリントヘッド駆動部２３６、及び定着ランプ等を有している。
【００９１】
カラーの撮像画像をプリント用紙に印画する場合には、プリント制御部２３２は、撮像画像に基づくプリント用の画像データとして、３原色の補色のＣ、Ｍ、Ｙの信号（Ｃ信号、Ｍ信号、Ｙ信号）を生成する。そして、プリント用紙を搬送するとともに、Ｙ信号に基づいてプリントヘッド５６を制御し、プリント用紙のイエロー層を発色させ、続いて定着ランプによってイエローの発色を定着させる。プリント用紙のマゼンタ層及びシアン層の発色もＭ信号、Ｃ信号に基づいて同様に行われ、これによりプリント用紙にカラーの撮像画像を印画する。
【００９２】
プリント用紙は、図示しないカートリッジ内にロール状に巻回されて収納された長尺のプリント媒体であり、カートリッジが第１内容物７−１の一部として筐体１ａ内に収納されている。
【００９３】
第１内容物７−１には、カートリッジの軸を回転させ、カートリッジからプリント用紙を送り出す、図示しないプリント用紙送出機構を含む。カートリッジから送り出されたプリント用紙の先端が、プリント用紙搬送機構５４（例えば、キャプスタンローラとピンチローラとの間）に到達すると、プリント用紙は、プリント用紙搬送機構５４により搬送されるとともに、プリントヘッド５６により撮像画像と文字とが印画される。これにより、筐体１ａの天面（上面）に設けられた排出口から、画像と文字とが組み合わされた長尺の組み写真の写真プリントが得られる。
【００９４】
尚、撮像装置１−２のプリンタ部は、ＴＡプリンタであるが、これに限らず、他の感熱プリンタやインクジェットプリンタ等の他の形式のプリンタでもよい。
【００９５】
［文字表示方法］
〈文字表示方法の第１の実施形態〉
図８は、本発明に係る文字表示方法の第１の実施形態を示すフローチャートである。
【００９６】
図８に示す文字表示方法は、前述した第１実施形態又は第２実施形態の撮像装置が表示部２２に文字を表示する方法を示し、撮像装置が通常の動作状態（例えば、撮像の待機状態）にあるときに表示部２２に文字を表示する場合に関して示している。
【００９７】
図８において、文字生成部２３０は、マイク３を介して集音した被写体等から発せられた音（音声）及び被写体の周囲の音（環境音）を示す音データを入力し（ステップＳ１０）、入力した音データを一時的に保持する（ステップＳ１２）。音データは、文字生成部２３０内のメモリに保持してもよいし、ワークメモリ２４２に保持させてもよい。
【００９８】
文字生成部２３０は、現時点から一定時間前までの期間に保持された音データに基づいて文字を生成する（ステップＳ１４）。例えば、人物である被写体や撮影者が発した音声を示す音データを入力した場合には、音声言語を示す文字に変換し、環境音を示す音データを入力した場合には、環境音に対応した擬声語を示す文字に変換する。また、文字生成部２３０は、文字のサイズ、濃度及びフォントのうちの少なくとも１つを、文字に応じて決定することが好ましい。例えば、一連の文字の文字数に応じて文字のサイズ及び／又は濃度を変えたり、音声言語を示す文字、擬声語を示す文字に応じて、あるいは文字言語が日本語の場合、漢字、平仮名又は片仮名等の種類に応じて、文字のフォントを変えたりすることができる。
【００９９】
表示制御部２４６は、ステップＳ１４により生成された文字に基づいて、表示部２２に文字を表示させる表示用データを生成する。本例では、文字により構成されたアニメーション（文字が移動するアニメーション）のフレーム画像を生成する（ステップＳ１６）。例えば、フレーム内に配置する文字の位置を、その文字に対応する音データの入力時刻（現時点から一定時間内の新旧を示す時刻）に応じて決定することで、アニメーションを構成するフレーム画像を生成することができる。
【０１００】
表示制御部２４６は、生成したフレーム画像を表示部２２に出力し、フレーム画像に基づいて文字が移動するアニメーションを表示部２２に表示させる（ステップＳ１８）。
【０１０１】
上記ステップＳ１０からステップＳ１８の処理は、例えば、アニメーションのフレームレートに対応する周期で繰り返し実行される。
【０１０２】
図９は、文字が移動する様子を示す第２の実施形態の撮像装置１−２の正面図である。尚、図９は、文字言語が日本語の場合に関して示している。
【０１０３】
図９に示す例では、表示部の表示画面の一端（右端）から他端（左端）に向かって文字が移動するアニメーションが表示される。
【０１０４】
即ち、最新の音データに基づいて生成された文字は、表示画面の右端に表示され、その後、時間の経過とともに左側に移動し、一定時間の経過後に表示画面の左端から消えるように表示される。したがって、最新の音データに基づいて生成された文字は、表示部に「一定時間」表示されることになる。また、「一定時間」は、文字を読む速度に適した時間であることが好ましく、文字の移動速度は、表示部の表示画面のサイズと「一定時間」により決定される。
【０１０５】
第１の実施形態の文字表示方法によれば、マイク３により集音した音を示す文字を、透明な筐体１ａに設けられた透明な表示部２２に表示すること（即ち、文字が空中に浮かんでいるように見せること）ができる。また、表示部２２にライブビュー画像を表示させることなく、透明な筐体１ａに設けたファインダ枠５（図６）により、撮像範囲を視認することができ、少なくとも撮像範囲を含む視野内に文字を浮かせて見せることができる。
【０１０６】
また、図４、図５及び図７に示したように、撮像装置１−２の表示部２２は、筐体１ａにそれぞれ間隔を空けて平行に配設された３枚の表示部２２ａ，２２ｂ，２２ｃから構成されているため、これらの表示部２２ａ，２２ｂ，２２ｃに表示される文字は、遠近感をもって視認することができる。
【０１０７】
本実施形態では、撮像装置１−２を正面から見て、表示画面の右端から左端に向かって文字が移動するように文字から構成されたアニメーション（文字が流れるアニメーション）を表示するようにしたが、これに限らず、例えば、表示画面の左端から右端に向かって文字が流れるアニメーション、表示画面の上端から下端に向かって文字が流れるアニメーション、及び表示画面の下端から上端に向かって文字が流れるアニメーションでもよく、また、上記の４つのアニメーションのうちの２以上のアニメーションが合成されたアニメーションでもよい。更に、文字を移動させずに、文字をフェードイン及びフェードアウトさせて文字を一定時間表示させるアニメーションでもよい。
【０１０８】
〈文字表示方法の第２の実施形態〉
図１０は、本発明に係る文字表示方法の第２の実施形態を示すフローチャートである。尚、図１０において、図８に示した第１の実施形態と共通する部分には、同一のステップ番号を付し、その詳細な説明は省略する。
【０１０９】
図１０に示す第２の実施形態の文字表示方法は、音データから文字を生成して表示する他に、撮像画像から文字を生成して表示する表示形態が追加されている点で、第１の実施形態と相違する。
【０１１０】
即ち、図１０に示す第２の実施形態の文字表示方法は、第１の実施形態のステップＳ１０〜ステップＳ１８の他に、ステップＳ２０、Ｓ２２及びＳ２４が追加されている。
【０１１１】
文字生成部２３０に内蔵された画像解析部、又は文字生成部２３０とは別に設けられた画像解析部（例えば、システムコントローラ２４０の一機能として設けられた画像解析部）は、撮像部２により取得された撮像画像を入力する（ステップＳ２０）。ステップＳ２０で入力する撮像画像は、所定の時間間隔（例えば、ライブビュー画像や動画の１フレームと同等の時間間隔、又は表示部２２に文字を表示する一定時間よりも短い時間間隔）で連続的に撮像された画像であることが好ましい。
【０１１２】
画像解析部は、ステップＳ２０で入力した撮像画像を解析し、撮像画像中のオブジェクト（バラの花、傘、マンホール、ランドマーク等）を抽出したり、撮像画像中の文字を抽出する（ステップＳ２２）。また、画像解析部は、連続して入力する撮像画像からシーン（被写体がジャンプしている様子、強風、波しぶき、波紋等のシーン）を解析する（シーン判別する）。
【０１１３】
文字生成部２３０は、ステップＳ２２による画像解析の結果に基づいて、抽出されたオブジェクトを示す文字、及びシーン判別されたシーンを示す文字（擬声語を含む）を生成する（ステップＳ２４）。
【０１１４】
ステップＳ１６は、音データから生成された文字と、撮像画像を解析して取得した文字とに基づいて、これらの文字を移動させるアニメーションのフレーム画像を生成する。尚、３つ表示部２２ａ，２２ｂ，２２ｃに、それぞれ文字が移動するアニメーションを表示させる場合、３つのアニメーションを作成することが好ましい。また、音データから生成された文字を移動させるアニメーションと、撮像画像を解析して取得した文字を移動させるアニメーションとは、別々のアニメーションとして生成することが可能である。
【０１１５】
表示制御部２４６は、生成したフレーム画像を表示部２２（２２ａ，２２ｂ，２２ｃ）に出力し、フレーム画像に基づいて文字が移動するアニメーションを表示部２２に表示させる（ステップＳ１８）。
【０１１６】
第２の実施形態の文字表示方法によれば、マイク３により集音した音を示す文字と、撮像画像から取得した文字とを、透明な筐体１ａに設けられた透明な表示部２２に表示すること（即ち、文字が空中に浮かんで移動しているように見せること）ができる。また、表示部２２にライブビュー画像を表示させることなく、透明な筐体１ａに設けたファインダ枠５（図６）により、撮像範囲を視認することができ、少なくとも撮像範囲を含む視野内に文字を浮かせて見せることができる。
【０１１７】
［撮像装置の作用］
図１１は、第２の実施形態の撮像装置１−２の作用を示すフローチャートである。
【０１１８】
第２の実施形態の撮像装置１−２は、撮像画像とその撮像画像に対応する文字画像とを１セットの画像とする複数セット（本例では、７セット）の画像を取得し、取得した７セットの画像が連続する長尺の組み写真の写真プリントを取得するプリンタ付き撮像装置である。
【０１１９】
図１１において、プリント用紙が巻回されたカートリッジが、第１内容物７−１の一部として筐体１ａ内に新たに収納されると、システムコントローラ２４０は、撮像枚数を示すパラメータｉをゼロ（ｉ＝０）にセットする（ステップＳ５０）。
【０１２０】
その後、マイク３により集音した音データから生成した文字と、撮像部２により撮像された撮像画像を解析して取得した文字とが、表示部２２の表示画面上で流れるアニメーションが表示される（ステップＳ５２）。尚、ステップＳ５２での文字表示方法は、図８から図１０を用いて詳細に説明したため、ここでは省略する。
【０１２１】
続いて、システムコントローラ２４０は、シャッタレリーズスイッチ４の操作による撮像指示入力の有無を判別し（ステップＳ５４）、撮像指示入力が有った場合（「Yes」の場合）には、ステップＳ５６に遷移させ、撮像指示入力が無い場合（「No」の場合）には、ステップＳ５２に遷移させ、継続して文字表示を行わせる。
【０１２２】
システムコントローラ２４０は、撮像指示入力が有ると、撮像部２による静止画の撮像を行わせ、撮像画像を取得するとともに、撮像前又は撮像前後の一定期間内に文字生成部２３０が生成した文字に基づいて文字画像を生成し、撮像画像と文字画像とを関連付けて、内部メモリ２２２に記録する（ステップＳ５６）。また、撮像前又は撮像前後の一定期間内に表示部２２に表示された文字のアニメーションを示す動画データも記録することが好ましい。
【０１２３】
尚、文字画像は、撮像前又は撮像前後の一定期間内に文字生成部２３０が生成した複数の文字（単語、語句、短文、擬声語等を示す文字）に優先順位を付け、優先順位の高い上位の規定数以内の文字を抽出し、抽出した文字を適宜配置して生成することが好ましい。文字の優先順位は、撮像画像のシーン、雰囲気、あるいは７枚の撮像画像のストーリ性との適合度に応じて決定することができる。また、文字に応じて文字のサイズ、濃度及びフォントを決定して文字画像を生成することが好ましい。
【０１２４】
続いて、システムコントローラ２４０は、撮像枚数を示すパラメータｉを１だけインクリメントし（ステップＳ５８）、１だけインクリメントしたパラメータｉが７（ｉ＝７）か否かを判別する（ステップＳ６０）。
【０１２５】
システムコントローラ２４０は、ｉ＝７でない場合（「No」の場合）には、規定の撮像枚数（７枚）に達していないため、ステップＳ５２に戻り、ｉ＝７の場合（「Yes」の場合）には、規定の撮像枚数に達しているため、ステップＳ６２に遷移させ、プリント処理を実行させる（ステップＳ６２）。
【０１２６】
プリント制御部２３２は、ステップＳ５６により記録された７セット分の撮像画像及び文字画像に基づいて７セット分のプリント用の画像データを生成し、生成した７セット分のプリント用の画像データをプリント部に出力する。これにより、撮像画像とその撮像画像に対応する文字画像とを１セットの画像とする、７セットの画像が連続する組み写真の印画を行わせる（ステップＳ６２）。
【０１２７】
図１２から図１５は、それぞれプリント制御部２３２による制御の下で、組み写真が印画される様子を示す図である。尚、図１５は、文字言語が日本語の場合に関して示している。
【０１２８】
プリント制御部２３２は、７セット分のプリント用の画像データを生成すると、続いて、第１内容物７−１の一部であるプリント用紙送出機構を制御し、第１内容物７−１として収納されているカートリッジの軸を回転させる。これにより、カートリッジからプリント用紙Ｐが送り出される。尚、プリント用の画像データは、遅くともプリントヘッド５６による印画が開始されるまでに生成されればよい。
【０１２９】
図１２及び図１３は、撮像装置１−２の下部から上部に向かってプリント用紙Ｐが送り出される様子を示す図である。撮像装置１−２の筐体１ａ及び表示部が透明であるため、撮像装置１−２の下部から上部に向かって送り出されるプリント用紙Ｐを視認することができる。
【０１３０】
図１４に示すようにカートリッジから送り出されたプリント用紙Ｐの先端が、撮像装置１−２の上部の第２内容物８の一部として配設されているプリント用紙搬送機構５４に到達すると、プリント用紙Ｐは、プリント制御部２３２の制御の下でプリント用紙搬送機構５４により搬送される。プリント制御部２３２は、このプリント用紙Ｐの搬送に同期して、プリント用の画像データに基づいてプリントヘッド駆動部２３６を介してプリントヘッド５６を駆動し、プリント用紙Ｐに撮像画像及び文字画像を印画する。
【０１３１】
また、本例の表示制御部２４６は、ステップＳ５６にて内部メモリ２２２に記録された文字のアニメーションの動画データを読み出し、文字画像が印画されるタイミングに合わせて、文字のアニメーションを表示部２２に表示させる。
【０１３２】
これにより、プリント用紙Ｐに印画される文字画像を構成する文字を、事前に視認することができる。尚、文字画像として印画される文字は、表示部２２に表示される文字から選択されるため、表示される文字よりも少ないが、表示部２２に表示される文字と印画された文字画像とを比較することで、文字画像の生成に使用された文字と文字画像の生成に使用されなかった文字とを確認することができる。
【０１３３】
また、表示部２２に表示される文字のアニメーションは、表示部２２の一端から他端に向かって流れるものであるが、これに限らず、表示制御部２４６は、文字のアニメーションを示す動画データとして、文字画像の印画速度に合わせて、プリント用紙Ｐの排出方向に文字を移動させ、文字のプリント用紙Ｐの排出に応じて文字を消滅させる動画データを生成し、この動画データに基づいて文字のアニメーションを表示部２２に表示させるようにしてもよい。
【０１３４】
図１５は、撮像装置１−２のプリンタ部によりプリント出力されるプリント用紙Ｐ（長尺の写真プリント）等を示す図であり、３セット分の画像（撮像画像＋文字画像）が印画されたプリント用紙Ｐを示している。
【０１３５】
プリント用紙Ｐは、各セットの撮像画像と文字画像との境界は、谷折り用の折り目が付され、各セットの境界は、山折り用の折り目が付されていることが好ましい。これにより、印画後の長尺の写真プリントは、上記の折り目で折り畳んで保存することが可能になる。
【０１３６】
尚、第２の実施形態の撮像装置１−２のプリンタ部は、プリント用紙Ｐが筐体１ａの下端側から上端側に移動するが、これに限らず、プリント用紙が筐体内を移動しないようにプリンタ部を構成してもよい。
【０１３７】
また、前述したように言語選択部により特定の文字言語（例えば、英語）が選択されると、文字生成部２３０は、選択された英語の音声言語から英語の文字言語を生成することができる。表示制御部２４６は、生成された英語の文字言語に基づいて、図１６に示すように表示部２２に英語の文字を表示させる。この場合、図９に示した実施形態と同様に、表示部２２に表示される英語の文字は図１７に示すようにアニメーション（文字が移動するアニメーション）として表示される。更に、プリント制御部２３２は、英語の文字言語が生成される場合には、図１８に示すように画像と英語の文字とが組み合わされた組み写真をプリンタ部に印画させる。
【０１３８】
［その他］
本実施形態では、音データから生成された文字に基づいて文字画像を生成し、撮像画像生成した文字画像を撮像画像に関連付けて内部メモリに記録するようにしたが、これに限らず、音データから生成した文字（テキストデータ）を、撮像画像に関連付けて（例えば、撮像画像の画像ファイルのヘッダ情報の一部として）記録するようにしてもよい。また、撮像画像及び文字画像（又はテキストデータ）は、筐体に着脱自在なメモリカードに記録してもよいし、パーソナルコンピュータ等の外部機器に有線又は無線通信のインターフェースを介して転送できるようにしてもよい。
【０１３９】
本実施形態では、撮像装置を正面から見た場合に文字が正しく表示され、撮像装置を背面から見た場合には、文字が反転（鏡像）表示となるが（図６）、これに限らず、撮像装置を背面から見た場合に文字が正しく表示され、撮像装置を正面から見た場合には、文字が反転表示となるように表示してもよいし、文字を見る方向に応じて適宜切り替えて表示できるようにしてもよい。
【０１４０】
また、本発明は上述した実施形態に限定されず、本発明の精神を逸脱しない範囲で種々の変形が可能であることは言うまでもない。
【符号の説明】
【０１４１】
１、１−２  撮像装置
１ａ  筐体
１ｂ  凸部
２  撮像部
２ａ、４ａ、６ａ  配線
３  マイク
４  シャッタレリーズスイッチ
５  ファインダ枠
６  フラッシュ発光部
７  内容物
７−１  第１内容物
８  第２内容物
１２  撮影レンズ
１２ａ  絞り
１２ｂ  シャッタ
２２、２２ａ、２２ｂ、２２ｃ  表示部
４２  イメージセンサ
５４  プリント用紙搬送機構
５６  プリントヘッド
２１２  撮影レンズ駆動部
２１４  イメージセンサ駆動部
２１６  アナログ信号処理部
２１８  画像データ入力部
２２０  デジタル信号処理部
２２２  内部メモリ
２３０  文字生成部
２３２  プリント制御部
２３４  プリント用紙搬送機構駆動部
２３６  プリントヘッド駆動部
２４０  システムコントローラ
２４２  ワークメモリ
２４４  データメモリ
２４６  表示制御部
２４７  マイク駆動部
２４８  操作部
２４９  フラッシュ制御部
２５０  電源部
Ｐ  プリント用紙
Ｓ１０〜Ｓ２４、Ｓ５０〜Ｓ６２  ステップ
【図１】
2018235313.tif 000003
【図２】
2018235313.tif 000004
【図３】
2018235313.tif 000005
【図４】
2018235313.tif 000006
【図５】
2018235313.tif 000007
【図６】
2018235313.tif 000008
【図７】
2018235313.tif 000009
【図８】
2018235313.tif 000010
【図９】
2018235313.tif 000011
【図１０】
2018235313.tif 000012
【図１１】
2018235313.tif 000013
【図１２】
2018235313.tif 000014
【図１３】
2018235313.tif 000015
【図１４】
2018235313.tif 000016
【図１５】
2018235313.tif 000017
【図１６】
2018235313.tif 000018
【図１７】
2018235313.tif 000019
【図１８】
2018235313.tif 000020
【手続補正書】
【提出日】令和1年12月10日(2019.12.10)
【手続補正１】
【補正対象書類名】明細書
【補正対象項目名】００１０
【補正方法】変更
【補正の内容】
【００１０】
一方、特許文献２に記載のプリンタ付き撮像装置は、装置の外装体を構成する前カバー、後カバー等が光透過性樹脂によって形成されているため、装置内部を透視することができるが、装置内部に収納された大きな面積を占める内容物（インスタントフイルムを収納するフイルムパックを含む光プリンタモジュール等）により遮光されるため、撮像装置自体を透明にすることができない。即ち、特許文献２に記載の撮像装置は、接眼側から対物側にわたって装置を透明にすることができない。
【手続補正２】
【補正対象書類名】明細書
【補正対象項目名】００２６
【補正方法】変更
【補正の内容】
【００２６】
本発明の更に他の態様に係る文字表示方法において、撮像装置は、透明な筐体及び透明な表示部により、撮像部の撮像方向における撮像装置の投影面積のうちの半分以上の面積が接眼側から対物側にわたって透明であることが好ましい。
【手続補正３】
【補正対象書類名】明細書
【補正対象項目名】００３１
【補正方法】変更
【補正の内容】
【００３１】
【図１】図１は本発明に係る撮像装置の第１の実施形態を示す正面図である。
【図２】図２は図１に示した撮像装置の左側面図である。
【図３】図３は本発明に係る撮像装置の第２の実施形態を示す正面図である。
【図４】図４は図３に示した撮像装置の左側面図である。
【図５】図５は図３に示した撮像装置の右側面図である。
【図６】図６は図３に示した撮像装置の背面図である。
【図７】図７は図３に示した撮像装置の内部の概略構成を示すブロック図である。
【図８】図８は本発明に係る文字表示方法の第１の実施形態を示すフローチャートである。
【図９】図９は第２の実施形態の撮像装置の表示部の表示画面に表示される文字が移動する様子を示す図である。
【図１０】図１０は本発明に係る文字表示方法の第２の実施形態を示すフローチャートである。
【図１１】図１１は第２の実施形態の撮像装置の作用を示すフローチャートである。
【図１２】図１２は第２の実施形態の撮像装置の下部から上部に向かってプリント用紙が送り出される様子を示す図である。
【図１３】図１３は第２の実施形態の撮像装置の下部から上部に向かってプリント用紙が送り出される様子を示す他の図である。
【図１４】図１４は第２の実施形態の撮像装置の上部にプリント用紙が到達し、プリント用紙への画像の印画が開始される様子を示す図である。
【図１５】図１５は第２の実施形態の撮像装置のプリント部によりプリント出力されるプリント用紙等を示す図である。
【図１６】図１６は図３に示した撮像装置の正面図であり、特に英語の文字が装置本体に表示される様子を示す図である。
【図１７】図１７は図１６に示した撮像装置の装置本体に表示される英語の文字が移動する様子を示す図である。
【図１８】図１８は図１５に示した撮像装置のプリント部によりプリント出力されるプリント用紙等を示す図であり、特に画像と英語の文字とが組み合わされた組み写真が印画される様子を示す図である。
【手続補正４】
【補正対象書類名】明細書
【補正対象項目名】００４９
【補正方法】変更
【補正の内容】
【００４９】
第２の実施形態の撮像装置１−２は、内容物７の代わりに、更にプリント部としての機能を担う第１内容物７−１、及び第２内容物８を備えている。
【手続補正５】
【補正対象書類名】明細書
【補正対象項目名】００５１
【補正方法】変更
【補正の内容】
【００５１】
第１内容物７−１は、主として撮像装置１−２のうちのデジタルカメラに対応する部品群からなり、図２上で筐体１ａの下部に収納され、第２内容物８は、主としてプリント部（プリンタ）に対応する部品群からなり、筐体１ａの上部に収納されている。尚、第１内容物７−１及び第２内容物８の詳細については後述する。
【手続補正６】
【補正対象書類名】明細書
【補正対象項目名】００５５
【補正方法】変更
【補正の内容】
【００５５】
ここで、撮像部２の撮像方向における撮像装置１−２の投影面積（図３に表れる面積）のうちの半分以上の面積が接眼側から対物側にわたって透明であることが好ましい。また、筐体１ａの中央部分には、撮像部２を除いて内容物を収納しないようにすることが好ましい。本例では、第１内容物７−１及び第２内容物８は、それぞれ筐体１ａの下部及び上部に収納されている。
【手続補正７】
【補正対象書類名】明細書
【補正対象項目名】００６０
【補正方法】変更
【補正の内容】
【００６０】
［撮像装置の内部の概略構成］
図７は、図３から図６に示した第２の実施形態の撮像装置１−２の内部の概略構成を示すブロック図である。尚、図１及び図２に示した第１の実施形態の撮像装置１の内部の概略構成は、主としてプリント部を備えていない点で、第２の実施形態の撮像装置１−２と相違するが、その他の構成は共通しているため、その詳細な説明は省略する。
【手続補正８】
【補正対象書類名】明細書
【補正対象項目名】００８４
【補正方法】変更
【補正の内容】
【００８４】
また、本例では、透明な筐体１ａにファインダ枠５を設けるようにしたが、表示制御部２４６が、表示部２２にファインダ枠５と同様なファインダ枠を表示させるようにしてもよい。
【手続補正９】
【補正対象書類名】明細書
【補正対象項目名】００９４
【補正方法】変更
【補正の内容】
【００９４】
尚、撮像装置１−２のプリント部は、ＴＡプリンタであるが、これに限らず、他の感熱プリンタやインクジェットプリンタ等の他の形式のプリンタでもよい。
【手続補正１０】
【補正対象書類名】明細書
【補正対象項目名】０１３４
【補正方法】変更
【補正の内容】
【０１３４】
図１５は、撮像装置１−２のプリント部によりプリント出力されるプリント用紙Ｐ（長尺の写真プリント）等を示す図であり、３セット分の画像（撮像画像＋文字画像）が印画されたプリント用紙Ｐを示している。
【手続補正１１】
【補正対象書類名】明細書
【補正対象項目名】０１３６
【補正方法】変更
【補正の内容】
【０１３６】
尚、第２の実施形態の撮像装置１−２のプリント部は、プリント用紙Ｐが筐体１ａの下端側から上端側に移動するが、これに限らず、プリント用紙が筐体内を移動しないようにプリント部を構成してもよい。
【手続補正１２】
【補正対象書類名】明細書
【補正対象項目名】０１３７
【補正方法】変更
【補正の内容】
【０１３７】
また、前述したように言語選択部により特定の文字言語（例えば、英語）が選択されると、文字生成部２３０は、選択された英語の音声言語から英語の文字言語を生成することができる。表示制御部２４６は、生成された英語の文字言語に基づいて、図１６に示すように表示部２２に英語の文字を表示させる。この場合、図９に示した実施形態と同様に、表示部２２に表示される英語の文字は図１７に示すようにアニメーション（文字が移動するアニメーション）として表示される。更に、プリント制御部２３２は、英語の文字言語が生成される場合には、図１８に示すように画像と英語の文字とが組み合わされた組み写真をプリント部に印画させる。
【手続補正１３】
【補正対象書類名】明細書
【補正対象項目名】０１３８
【補正方法】変更
【補正の内容】
【０１３８】
［その他］
本実施形態では、音データから生成された文字に基づいて文字画像を生成し、生成した文字画像を撮像画像に関連付けて内部メモリに記録するようにしたが、これに限らず、音データから生成した文字（テキストデータ）を、撮像画像に関連付けて（例えば、撮像画像の画像ファイルのヘッダ情報の一部として）記録するようにしてもよい。また、撮像画像及び文字画像（又はテキストデータ）は、筐体に着脱自在なメモリカードに記録してもよいし、パーソナルコンピュータ等の外部機器に有線又は無線通信のインターフェースを介して転送できるようにしてもよい。
【国際調査報告】
2018235313.tif 000021
2018235313.tif 000022
2018235313.tif 000023
2018235313.tif 000024